(57)【要約】  多種多様な形状や循環方式のローター・ステータータイプのミキサーに適用できる包括的な性能評価方法を確立する。  ローター・ステータータイプのミキサーにおける均質化指数：H.I.を求め、これに含まれる、ローター・ステーターの寸法と運転時の動力・流量を測定することにより得られる、各ミキサーに固有の数値であるミキサー全体の形状依存項の値の多寡を評価することにより、ミキサーの性能を評価する方法。
2012023217.tif 000002
【特許請求の範囲】
【請求項１】
複数個の開口部を備えているステーターと、ステーターの内側に所定の隙間を空けて配置されるローターとからなる、ミキサーユニットを備えているローター・ステータータイプのミキサーであって、当該ミキサーの構造が、
当該ミキサーにより被処理流体に対して、乳化、分散、微粒化あるいは混合の処理を施すときに、所定の運転時間で、被処理流体の所定の液滴径を得ることができるように、
式１を用いて計算して、当該ミキサーの運転時間と、これによって得られる被処理流体の液滴径を推定することにより設計されていることを特徴とするミキサー。
【数１】
2012023217.tif 000014
ここで、式１中、
H.I ：均質化指数  [m2/s3]
ρ ：密度 [kg/m3]
νｈ ：隙間の容積 [m3]
Ｐｈ ：消費動力 [W]
Q ：流量 [m3/s]
tm ：混合時間 [s]
V ：処理液量 [m3]
Np ：動力数 [-]
Nqd ：流量数 [-]
ｈ ：ステーターの高さ [m]
d ：ステーターの孔径 [m]
ns ：ステーターの孔数 [-]
l ：ステーターの厚み [m]
δ ：ローターとステーターの隙間 [m]
N ：回転数 [1/s]
Ch ：隙間における形状依存項 [m5]
である。
【請求項２】
前記ステーターと、ローターとは、ローターの回転軸が延びている方向で相互に近付く、又は離れることができるように構成されていることを特徴とする請求項１記載のミキサー。
【請求項３】
前記ミキサーは、周径の異なる複数のステーターを備えており、各ステーターの内側にそれぞれ前記ローターが所定の隙間を空けて配置されることを特徴とする請求項１又は２記載のミキサー。
【請求項４】
前記被処理流体は、前記ステーターとその内側に所定の隙間を空けて配置される前記ローターとの間の隙間部に導入されることを特徴とする請求項１乃至３のいずれか一項記載のミキサー。
【請求項５】
前記ローターは、回転中心から放射状に延びる複数枚の攪拌翼を供えていることを特徴とする請求項１乃至４のいずれか一項記載のミキサー。
【請求項６】
複数個の開口部を備えているステーターと、ステーターの内側に所定の隙間を空けて配置されるローターとからなる、ミキサーユニットを備えているローター・ステータータイプのミキサーの性能を評価する方法であって、
以下の式１により均質化指数：H.I.を求め、この式１に含まれる、ローター・ステーターの寸法と運転時の動力・流量を測定することにより得られる各ミキサーに固有の数値である隙間における形状依存項の値の多寡を評価することにより、ミキサーの性能を評価する方法。
【数２】
2012023217.tif 000015
ここで、式１中、
H.I ：均質化指数  [m2/s3]
ρ ：密度 [kg/m3]
νｈ ：隙間の容積 [m3]
Ｐｈ ：消費動力 [W]
Q ：流量 [m3/s]
tm ：混合時間 [s]
V ：処理液量 [m3]
Np ：動力数 [-]
Nqd ：流量数 [-]
ｈ ：ステーターの高さ [m]
d ：ステーターの孔径 [m]
ns ：ステーターの孔数 [-]
l ：ステーターの厚み [m]
δ ：ローターとステーターの隙間 [m]
N ：回転数 [1/s]
Ch ：隙間における形状依存項 [m5]
である。
【請求項７】
複数個の開口部を備えているステーターと、ステーターの内側に所定の隙間を空けて配置されるローターとからなる、ミキサーユニットを備えているローター・ステータータイプのミキサーをスケールアップ、あるいはスケールダウンする方法であって、
式１で求められる当該ミキサーの実験機規模及び／又はパイロットプラント規模における均質化指数：H.I.の値と、スケールアップあるいはスケールダウンする当該ミキサーの実製造機における均質化指数：H.I.の計算値とを一致させることにより、スケールアップあるいはスケールダウンすることを特徴とする方法。
【数３】
2012023217.tif 000016
ここで、式１中、
H.I ：均質化指数  [m2/s3]
ρ ：密度 [kg/m3]
νｈ ：隙間の容積 [m3]
Ｐｈ ：消費動力 [W]
Q ：流量 [m3/s]
tm ：混合時間 [s]
V ：処理液量 [m3]
Np ：動力数 [-]
Nqd ：流量数 [-]
ｈ ：ステーターの高さ [m]
d ：ステーターの孔径 [m]
ns ：ステーターの孔数 [-]
l ：ステーターの厚み [m]
δ ：ローターとステーターの隙間 [m]
N ：回転数 [1/s]
Ch ：隙間における形状依存項 [m5]
である。
【請求項８】
複数個の開口部を備えているステーターと、ステーターの内側に所定の隙間を空けて配置されるローターとからなる、ミキサーユニットを備えているローター・ステータータイプのミキサーを利用し、被処理流体に対して、乳化、分散、微粒化あるいは混合の処理を施すことにより製造した食品、医薬品あるいは化学品であって、式１を用いて計算することにより、当該ミキサーの運転時間と、これによって得られる被処理流体の液滴径を推定して、前記ミキサーにより、被処理流体に対して、乳化、分散、微粒化あるいは混合の処理を施して製造した食品、医薬品あるいは化学品。
【数４】
2012023217.tif 000017
ここで、式１中、
H.I ：均質化指数  [m2/s3]
ρ ：密度 [kg/m3]
νｈ ：隙間の容積 [m3]
Ｐｈ ：消費動力 [W]
Q ：流量 [m3/s]
tm ：混合時間 [s]
V ：処理液量 [m3]
Np ：動力数 [-]
Nqd ：流量数 [-]
ｈ ：ステーターの高さ [m]
d ：ステーターの孔径 [m]
ns ：ステーターの孔数 [-]
l ：ステーターの厚み [m]
δ ：ローターとステーターの隙間 [m]
N ：回転数 [1/s]
Ch ：隙間における形状依存項 [m5]
である。
【請求項９】
複数個の開口部を備えているステーターと、ステーターの内側に所定の隙間を空けて配置されるローターとからなる、ミキサーユニットを備えているローター・ステータータイプのミキサーを利用し、被処理流体に対して、乳化、分散、微粒化あるいは混合の処理を施すことにより、食品、医薬品あるいは化学品を製造する方法であって、式１を用いて計算することにより、当該ミキサーの運転時間と、これによって得られる被処理流体の液滴径を推定して、食品、医薬品あるいは化学品を製造する方法。
【数５】
2012023217.tif 000018
ここで、式１中、
H.I ：均質化指数  [m2/s3]
ρ ：密度 [kg/m3]
νｈ ：隙間の容積 [m3]
Ｐｈ ：消費動力 [W]
Q ：流量 [m3/s]
tm ：混合時間 [s]
V ：処理液量 [m3]
Np ：動力数 [-]
Nqd ：流量数 [-]
ｈ ：ステーターの高さ [m]
d ：ステーターの孔径 [m]
ns ：ステーターの孔数 [-]
l ：ステーターの厚み [m]
δ ：ローターとステーターの隙間 [m]
N ：回転数 [1/s]
Ch ：隙間における形状依存項 [m5]
である。
【発明の詳細な説明】
【技術分野】
【０００１】
この発明は、複数個の開口部を備えているステーターと、当該ステーターの内側に所定の隙間を空けて配置されるローターとを備えているミキサー、いわゆるローター・ステータータイプのミキサーに関する。
【背景技術】
【０００２】
いわゆるローター・ステータータイプのミキサーは、一般的に、図１に示すように、複数個の開口部１を備えているステーター２と、ステーター２の内側に所定の隙間δを空けて配置されるローター３とからなるミキサーユニット４を備えている。このようなローター・ステータータイプのミキサーは、高速で回転するローター３と、固定されているステーター２との間の隙間近傍で、高い剪断応力が発生することを利用して、流体などに対して、乳化、分散、微粒化、混合などの処理を行うものであり、食品、医薬品、化学品などの分野において、処理液の調合、調製などの用途で広く使用されている。【０００３】
ローター・ステータータイプのミキサーは、処理される流体の循環方式に応じて、図２の矢印５ａで示すように処理液が循環する外部循環式ミキサー、図２の矢印５ｂで示すように処理液が循環する内部循環式ミキサーに分類されることがある。【０００４】
このようなローター・ステータータイプのミキサーに関して多種多様な形状や循環方式が提供されている。例えば、特許文献１（粒子形成のための回転子固定子装置および方法）には、複数個の開口部を備えているステーターと、当該ステーターの内側に所定の隙間を空けて配置されるローターとを備えているミキサーを薬剤、栄養補助食品、食品、化学品、化粧品などの幅広い分野で利用される、粒子の形成に適用する微細粒子の生成のための装置、方法が提案されている。これによれば、効率的で、簡単で、容易にスケールアップすることができるとされている。【０００５】
また、以前から種々の形状のミキサーの性能評価方法として、幾つかの指標（理論）が報告されている。【０００６】
例えば、前述したローター・ステータータイプのミキサーに限らず、液-液分散操作に着目してみると、液滴径の寸法は、平均的なエネルギー消散率の計算値（大小）で議論できることが報告されている（非特許文献１、２）。ただし、非特許文献１、２では、平均的なエネルギー消散率の計算方法は殆ど明らかにされていない。【０００７】
個別のミキサーに適用でき、その実験結果を整理した研究例は幾つか報告されている（非特許文献３〜６）。ただし、これらの研究例（非特許文献３〜６）では、ミキサーの微粒化効果に対して、ローターとステーターの隙間（ギャップ）のみの影響や、ステーターの開口部（ホール）のみの影響などを考察しており、各ミキサーで異なる内容しか報告されていない。【０００８】
ローター・ステータータイプのミキサーの微粒化機構（メカニズム）を考察した研究例は幾つか報告されている（非特許文献７、８）。これらでは、液滴の微粒化効果には、乱流のエネルギー消散率が寄与することや、その微粒化効果には、処理液の剪断応力を受ける頻度（剪断頻度）が影響することが示唆されている。【０００９】
ローター・ステータータイプのミキサーの スケールアップ方法では、長時間で運転して得られる最終的な液滴径（最大安定の液滴径）に関して幾つか報告されている（非特許文献９）。しかし、実際の製造現場では実用的ではなく、あまり有用ではない。つまり、ミキサーの処理（撹拌、混合）時間を考慮し、所定の時間で運転して得られる液滴径を推定した有用な研究例は殆ど報告されていない。仮に、ミキサーの処理時間を考慮して、液滴径を推定していても、それは単なる実測値（実験値）に基づく現象（事実）を報告しているのみであり、理論的に解析した研究例は報告されていない。
【先行技術文献】
【特許文献】
【００１０】
【特許文献１】特表２００５−５０６１７４号公報
【非特許文献】
【００１１】
【非特許文献１】Davies, J. T.; “Drop Sizes of Emulsions Related to Turbulent Energy Dissipation Rates,” Chem. Eng. Sci., 40, 839−842 (1985)
【非特許文献２】Davies, J. T.; “A Physical Interpretation of Drop Sizes in Homogenizers and Agitated Tanks, Including the Dispersion of Viscous Oils,” Chem. Eng. Sci., 42, 1671−1676 (1987)
【非特許文献３】Calabrese, R. V., M. K. Francis, V. P. Mishra and S. Phongikaroon; “Measurement and Analysis of Drop Size in Batch Rotor-Stator Mixer,” Proc. 10th European Conference on Mixing, pp. 149−156, Delft, the Netherlands (2000)
【非特許文献４】Calabrese, R. V., M. K. Francis, V. P. Mishra, G. A. Padron and S. Phongikaroon; “Fluid Dynamics and Emulsification in High Shear Mixers,” Proc. 3rd World Congress on Emulsions, pp. 1−10, Lyon, France (2002)
【非特許文献５】Maa, Y. F., and C. Hsu; “Liquid−Liquid Emulsification by Rotor/Stator Homogenization,” J. Controlled. Release, 38, 219−228 (1996)
【非特許文献６】Barailler, F., M. Heniche and P. A. Tanguy; “CFD Analysis of a Rotor-Stator Mixer with Viscous Fluids,” Chem. Eng. Sci., 61, 2888−2894 (2006)
【非特許文献７】Utomo, A. T., M. Baker and A. W. Pacek; “Flow Pattern, Periodicity and Energy Dissipation in a Batch Rotor-Stator Mixer,” Chem. Eng. Res. Des., 86, 1397−1409 (2008)
【非特許文献８】Porcelli, J.; “The Science of Rotor/Stator Mixers,” Food Process, 63, 60−66 (2002)
【非特許文献９】Urban K.; “Rotor-Stator and Disc System for Emulsification Processes,” Chem. Eng. Technol., 29, 24−31 (2006)
【発明の概要】
【発明が解決しようとする課題】
【００１２】
前述した特許文献１には所定のミキサーの優位性（性能）や設計の数値範囲などが記載されているが、高性能なミキサーの設計の数値範囲などに関して理論的な根拠が記載されておらず、高性能なミキサーの種類や形状などに関して記載されていない。【００１３】
前述したように、以前から種々の形状のミキサーの性能評価方法として、幾つかの指標（理論）が報告されているが、これらの指標は、あくまでも形状の同じ個別のミキサーにしか適用できない場合が多く、実際には形状の異なる多種多様なミキサーには適用できない場合が殆どである。【００１４】
このように、ローター・ステータータイプのミキサーの性能評価方法やスケールアップ方法に関する研究例は殆ど存在せず、形状の異なる多種多様なミキサーに適用でき、その実験結果を包括的に整理した研究例も殆ど存在していない。【００１５】
ローター・ステータータイプのミキサーの性能評価方法やスケールアップ方法に関して、従来技術では、（1）個別のミキサー毎に、（2）小規模の装置を使用し、（3）長時間で運転して得られる最終的な液滴径（最大安定の液滴径）を評価している場合が殆どであった。つまり、従来技術では、（Ａ）多種多様なミキサーに、（Ｂ）大規模（実製造規模）の装置を適用し、（Ｃ）所定の時間で運転して得られる液滴径や、所定の液滴径が得られるまでの処理（撹拌）時間を評価や推定していなかった。【００１６】
そのため、現実的には、実際の処理液を使用して試行錯誤しながら、ミキサーを性能評価し、設計（開発、作製）していた。【００１７】
そこで、本発明では、特にローターとステーターの隙間の影響が大きい多種多様な形状のミキサーや循環方式の異なるミキサーに適用できる包括的な性能評価方法を確立すること、そのミキサーの運転条件（処理時間）を考慮した設計方法を確立すること、さらに、それらの性能評価方法や設計方法を利用した食品、医薬品、化学品などの製造方法（微粒化方法）を確立することを課題にしている。
【課題を解決するための手段】
【００１８】
請求項１記載の発明は、
複数個の開口部を備えているステーターと、ステーターの内側に所定の隙間を空けて配置されるローターとからなる、ミキサーユニットを備えているローター・ステータータイプのミキサーであって、当該ミキサーの構造が、
当該ミキサーにより被処理流体に対して、乳化、分散、微粒化あるいは混合の処理を施すときに、所定の運転時間で、被処理流体の所定の液滴径を得ることができるように、
式１を用いて計算して、当該ミキサーの運転時間と、これによって得られる被処理流体の液滴径を推定することにより設計されていることを特徴とするミキサーである。
【数１】
2012023217.tif 000003
【００１９】
ここで、式１中、
H.I ：均質化指数  [m2/s3]
ρ ：密度 [kg/m3]
νｈ ：隙間の容積 [m3]
Ｐｈ ：消費動力 [W]
Q ：流量 [m3/s]
tm ：混合時間 [s]
V ：処理液量 [m3]
Np ：動力数 [-]
Nqd ：流量数 [-]
ｈ ：ステーターの高さ [m]
d ：ステーターの孔径 [m]
ns ：ステーターの孔数 [-]
l ：ステーターの厚み [m]
δ ：ローターとステーターの隙間 [m]
N ：回転数 [1/s]
Ch ：隙間における形状依存項 [m5]
である。【００２０】
請求項２記載の発明は、
前記ステーターと、ローターとは、ローターの回転軸が延びている方向で相互に近付く、又は離れることができるように構成されていることを特徴とする請求項１記載のミキサーである。【００２１】
請求項３記載の発明は、
前記ミキサーは、周径の異なる複数のステーターを備えており、各ステーターの内側にそれぞれ前記ローターが所定の隙間を空けて配置されることを特徴とする請求項１又は２記載のミキサーである。【００２２】
請求項４記載の発明は、
前記被処理流体は、前記ステーターとその内側に所定の隙間を空けて配置される前記ローターとの間の隙間部に導入されることを特徴とする請求項１乃至３のいずれか一項記載のミキサーである。【００２３】
請求項５記載の発明は、
前記ローターは、回転中心から放射状に延びる複数枚の攪拌翼を供えていることを特徴とする請求項１乃至４のいずれか一項記載のミキサーである。【００２４】
請求項６記載の発明は、
複数個の開口部を備えているステーターと、ステーターの内側に所定の隙間を空けて配置されるローターとからなる、ミキサーユニットを備えているローター・ステータータイプのミキサーの性能を評価する方法であって、
以下の式１により均質化指数：H.I.を求め、この式１に含まれる、ローター・ステーターの寸法と運転時の動力・流量を測定することにより得られる各ミキサーに固有の数値である隙間（ギャップ）における形状依存項の値の多寡を評価することにより、ミキサーの性能を評価する方法である。
【数２】
2012023217.tif 000004
【００２５】
ここで、式１中、
H.I ：均質化指数  [m2/s3]
ρ ：密度 [kg/m3]
νｈ ：隙間の容積 [m3]
Ｐｈ ：消費動力 [W]
Q ：流量 [m3/s]
tm ：混合時間 [s]
V ：処理液量 [m3]
Np ：動力数 [-]
Nqd ：流量数 [-]
ｈ ：ステーターの高さ [m]
d ：ステーターの孔径 [m]
ns ：ステーターの孔数 [-]
l ：ステーターの厚み [m]
δ ：ローターとステーターの隙間 [m]
N ：回転数 [1/s]
Ch ：隙間における形状依存項 [m5]
である。【００２６】
請求項７記載の発明は、
複数個の開口部を備えているステーターと、ステーターの内側に所定の隙間を空けて配置されるローターとからなる、ミキサーユニットを備えているローター・ステータータイプのミキサーをスケールアップ、あるいはスケールダウンする方法であって、
式１で求められる当該ミキサーの実験機規模及び／又はパイロットプラント規模における均質化指数：H.I.の値と、スケールアップあるいはスケールダウンする当該ミキサーの実製造機における均質化指数：H.I.の計算値とを一致させることにより、スケールアップあるいはスケールダウンすることを特徴とする方法である。
【数３】
2012023217.tif 000005
【００２７】
ここで、式１中、
H.I ：均質化指数  [m2/s3]
ρ ：密度 [kg/m3]
νｈ ：隙間の容積 [m3]
Ｐｈ ：消費動力 [W]
Q ：流量 [m3/s]
tm ：混合時間 [s]
V ：処理液量 [m3]
Np ：動力数 [-]
Nqd ：流量数 [-]
ｈ ：ステーターの高さ [m]
d ：ステーターの孔径 [m]
ns ：ステーターの孔数 [-]
l ：ステーターの厚み [m]
δ ：ローターとステーターの隙間 [m]
N ：回転数 [1/s]
Ch ：隙間における形状依存項 [m5]
である。【００２８】
請求項８記載の発明は、
複数個の開口部を備えているステーターと、ステーターの内側に所定の隙間を空けて配置されるローターとからなる、ミキサーユニットを備えているローター・ステータータイプのミキサーを利用し、被処理流体に対して、乳化、分散、微粒化あるいは混合の処理を施すことにより製造した食品、医薬品あるいは化学品であって、式１を用いて計算することにより、当該ミキサーの運転時間と、これによって得られる被処理流体の液滴径を推定して、前記ミキサーにより、被処理流体に対して、乳化、分散、微粒化あるいは混合の処理を施して製造した食品、医薬品あるいは化学品である。
【数４】
2012023217.tif 000006
【００２９】
ここで、式１中、
H.I ：均質化指数  [m2/s3]
ρ ：密度 [kg/m3]
νｈ ：隙間の容積 [m3]
Ｐｈ ：消費動力 [W]
Q ：流量 [m3/s]
tm ：混合時間 [s]
V ：処理液量 [m3]
Np ：動力数 [-]
Nqd ：流量数 [-]
ｈ ：ステーターの高さ [m]
d ：ステーターの孔径 [m]
ns ：ステーターの孔数 [-]
l ：ステーターの厚み [m]
δ ：ローターとステーターの隙間 [m]
N ：回転数 [1/s]
Ch ：隙間における形状依存項 [m5]
である。【００３０】
請求項９記載の発明は、
複数個の開口部を備えているステーターと、ステーターの内側に所定の隙間を空けて配置されるローターとからなる、ミキサーユニットを備えているローター・ステータータイプのミキサーを利用し、被処理流体に対して、乳化、分散、微粒化あるいは混合の処理を施すことにより、食品、医薬品あるいは化学品を製造する方法であって、式１を用いて計算することにより、当該ミキサーの運転時間と、これによって得られる被処理流体の液滴径を推定して、食品、医薬品あるいは化学品を製造する方法である。
【数５】
2012023217.tif 000007
【００３１】
ここで、式１中、
H.I ：均質化指数  [m2/s3]
ρ ：密度 [kg/m3]
νｈ ：隙間の容積 [m3]
Ｐｈ ：消費動力 [W]
Q ：流量 [m3/s]
tm ：混合時間 [s]
V ：処理液量 [m3]
Np ：動力数 [-]
Nqd ：流量数 [-]
ｈ ：ステーターの高さ [m]
d ：ステーターの孔径 [m]
ns ：ステーターの孔数 [-]
l ：ステーターの厚み [m]
δ ：ローターとステーターの隙間 [m]
N ：回転数 [1/s]
Ch ：隙間における形状依存項 [m5]
である。
【発明の効果】
【００３２】
本発明においては、均質化指数：H.I.という指標を適用している。各社から提供される多種多様な形状や循環方式のミキサーの均質化指数：H.I.は、ローター（回転子）とステーター（固定子）の幾何学的な寸法、運転の動力と流量の測定値から個別に計算される。そして、この均質化指数：H.I.は、各ミキサーの隙間における形状依存項と運転条件依存項とに分離して表現される。【００３３】
均質化指数：H.I.という指標を用いることにより、各ミキサーの性能を評価する場合、例えば、液滴径の微粒化傾向によって性能を評価するときには、隙間における形状依存項の計算値（大小）を使用することができる。【００３４】
また、各ミキサーのスケールアップ・スケールダウンにおいては、隙間における形状依存項と運転条件依存項とを併せた均質化指数：H.I.の計算値を使用し、その計算値を一致させることで設計することができる。【００３５】
これらの知見によって、理論的かつ実験的に従来品よりも微粒化効果や乳化効果の高いミキサー（高性能のミキサー）を開発（設計）するようにしたものである。【００３６】
すなわち、本発明においては、各ミキサーの性能評価方法へ適用できる隙間における形状依存項（係数）の数値で、高性能の範囲を指定する。具体的には、均質化指数：H.I.を導き出すために、本発明が提案する計算式における隙間の形状依存項（係数）の数値で、従来のミキサー（従来品）を含まない範囲を設定したり、従来の指標（理論）では容易に計算できない（実測しないと困難な）範囲を設定することができる。【００３７】
そして、ローター・ステータータイプのミキサーを利用し、被処理流体に対して、乳化、分散、微粒化あるいは混合の処理を施すことにより、食品、医薬品あるいは化学品を製造する方法において、本発明が提案する計算式に基づいて、均質化指数：H.I.を計算することにより、当該ミキサーの運転時間と、これによって得られる被処理流体の液滴径を推定して、望ましい液滴径を有している食品、医薬品あるいは化学品を製造することができる。
【図面の簡単な説明】
【００３８】
【図１】ローター・ステータータイプのミキサーが備えているミキサーユニットを説明する斜視図。
【図２】外部循環式のローター・ステータータイプのミキサー（外部循環式ミキサー）及び内部循環式のローター・ステータータイプのミキサー（内部循環式ミキサー）を説明する図。
【図３】液滴径の微粒化傾向を調査する方式を説明する図。
【図４】外部循環式のローター・ステータータイプのミキサー（外部循環式ミキサー）の評価試験結果を、内部循環式のローター・ステータータイプのミキサー（内部循環式ミキサー）の評価に用いる方式を説明する図。
【図５】表２のミキサーＡ−１、Ａ−２における表３の運転条件での処理（混合）時間と、液滴径の関係（微粒化傾向）を表す図。
【図６】表２のミキサーＡ−２におけるローターの回転速度を変更した場合での均質化指数：H.I.と、液滴径の関係（微粒化傾向）を表す図。
【図７】表２のミキサーＡ−１、Ａ−２におけるローターの回転速度を変更した場合での均質化指数：H.I.と、液滴径の関係（微粒化傾向）を表す図。
【図８】表２のミキサーＡ−２、Ｂにおけるローターの回転速度を変更した場合での均質化指数：H.I.と、液滴径の関係（微粒化傾向）を表す図。
【図９】表２のミキサーＡ−１、Ａ−２、Ｂにおけるローターの回転速度を変更した場合での均質化指数：H.I.と、液滴径の関係（微粒化傾向）を表す図。
【図１０】本発明のローター・ステータータイプのミキサーに採用されるローターの一例を説明する斜視図。
【図１１】本発明のローター・ステータータイプのミキサーに採用される多段階式乳化機構の一例を説明する分解斜視図。
【図１２】本発明のローター・ステータータイプのミキサーに採用されるダイレクト・インジェクション方式を説明する図であって、（ａ）は平面図、（ｂ）は側面図。
【図１３】市販されている栄養調整食品をローター・ステータータイプのミキサーで混合した場合の均質化指数：H.I.と、液滴径の関係（微粒化傾向）を表す図。
【発明を実施するための形態】
【００３９】
本発明においては、ローター・ステータータイプのミキサーにおける微粒化効果（微粒化傾向）を議論（比較や評価）する目的で、本発明が提案する下記の式１によって導き出される均質化指数：H.I.を用いている。
【数６】
2012023217.tif 000008
【００４０】
ここで、式１中、
H.I ：均質化指数  [m2/s3]
ρ ：密度 [kg/m3]
νｈ ：隙間の容積 [m3]
Ｐｈ ：消費動力 [W]
Q ：流量 [m3/s]
tm ：混合時間 [s]
V ：処理液量 [m3]
Np ：動力数 [-]
Nqd ：流量数 [-]
ｈ ：ステーターの高さ [m]
d ：ステーターの孔径 [m]
ns ：ステーターの孔数 [-]
l ：ステーターの厚み [m]
δ ：ローターとステーターの隙間 [m]
N ：回転数 [1/s]
Ch ：隙間における形状依存項 [m5]
である。
【００４１】
この均質化指数：H.Iを用いることにより、ミキサーの形状、ステーターの形状、その運転条件（処理時間など）、そのスケール（規模、寸法）などが異なる場合においても、一括（統一）してローター・ステータータイプのミキサーにおける微粒化効果（微粒化傾向）を議論（比較や評価）できる。
【００４２】
本発明においては、均質化指数：H.Iを導き出す本発明提案の計算式に含まれる、ローター・ステーターの寸法と運転時の動力・流量を測定することにより得られる、各ミキサーに固有の数値である、隙間における形状依存項：Ch [-]の値の多寡を評価することにより、ミキサーの性能を評価している。
【００４３】
均質化指数：H.Iを導き出す本発明が提案する計算式に明らかなように、隙間における形状依存項：Ch [-]は、ステーターの高さ：h [m]、ローターとステーターの隙間：δ [m]、ステーターの孔径：d [m]、ステーターの孔数：ns [-]、ステーターの厚み：l [m]、流量数：Nqd [-]、動力数：Np [-] に基づく各ミキサーに固有の数値である。
【００４４】
そこで、均質化指数：H.Iを導き出す本発明が提案する計算式中の隙間における形状依存項：Ch [-]の値の大きさを比較（評価）することで、多種多様なミキサーの性能を評価できる。
【００４５】
すなわち、均質化指数：H.Iを導き出す本発明提案の計算式に含まれる、各ミキサーに固有の数値である、隙間における形状依存項：Ch [-]の値の大きさを比較（評価）することで、多種多様なミキサーの性能を評価できると共に、高性能のミキサーを設計（開発、作製）できる。
【００４６】
また、ローター・ステータータイプのミキサーの実験機規模及び／又はパイロットプラント規模における均質化指数：H.Iの値と、スケールアップあるいはスケールダウンする実製造機におけるH.Iの値の計算値とを一致させることでスケールアップあるいはスケールダウンを行うことができる。
【００４７】
更に、ローター・ステータータイプのミキサーを利用して被処理流体に対して、乳化、分散、微粒化あるいは混合の処理を施すことにより、食品（乳製品・飲料などを含む）、医薬品（医薬部外品などを含む）あるいは化学品（化粧品などを含む）を製造する際に、均質化指数：H.Iを導き出す本発明提案の計算式を用いて計算することにより、当該ミキサーの運転時間と、これによって得られる被処理流体の液滴径を推定して、食品、医薬品あるいは化学品を製造することができる。
【００４８】
なお、実施例で実証された通り、本発明に基づいて、栄養組成物（流動食、乳幼児用調製粉乳などの組成に相当する）を製造すると、風味、食感、物性、品質などが良好であり、衛生面や作業性などにも優れていたことから、本発明は、食品や医薬品へ適用することが好ましく、食品へ適用することがより好ましく、栄養組成物や乳製品へ適用することが更に好ましく、高濃度で配合された栄養組成物や乳製品へ適用することが特に好ましい。
【００４９】
＜均質化指数：H.Iと液滴径の変化（液滴の微粒化傾向）＞
微粒子化の評価を行う対象として、乳製品を想定した模擬液を準備した。この乳化製品疑似液は、ミルクタンパク質濃縮物（ＭＰＣ、ＴＭＰ（トータルミルクプロテイン））、ナタネ油、水から構成されている。その配合や比率などを表１に示した。
【表１】
2012023217.tif 000009
【００５０】
ミキサーの性能は、液滴径の微粒化傾向を実験的に検討して評価した。図３に示すように、外部循環式のユニットを準備し、流路の途中で液滴径を、レーザー回折式粒度分布計（島津製作所：ＳＡＬＤ−２０００）により計測した。
【００５１】
なお、本発明において、液滴径の微粒化傾向を実験的に検討して、ミキサーの性能を評価するにあたり、内部循環式ミキサーに関しては、液滴径の微粒化傾向を把握することが難しい。しかし、内部循環式ミキサーも、外部循環式ミキサーも、図１に示すように、複数個の開口部１を備えているステーター２と、ステーター２の内側に所定の隙間δを空けて配置されるローター３とからなるミキサーユニット４を備えている点で共通している。そこで、内部循環式ミキサーについて評価する場合には、図４に示すように、外部循環式ミキサーに備えられているミキサーユニットと同一の寸法（サイズ）、形状、構造を有するローター、ステーターからなるミキサーユニットが内部循環式ミキサーに配備されていると考えて、当該外部循環式ミキサーを評価した試験の結果を内部循環式ミキサーの評価に用いた。
【００５２】
ここでは、３種類のミキサーに関して、その性能を比較した。なお、ここで使用したミキサーの概要を表２に示した。
【表２】
2012023217.tif 000010
【００５３】
ミキサーＡ−１、Ａ−２は、いずれも収容量：１．５リットルで、同一のメーカー品であるが、そのサイズに相違があるものである。
【００５４】
表２中、隙間容積：ｖｇは、図１におけるギャップδの部分の容積である。
【００５５】
ミキサーＡ−１、Ａ−２（いずれも収容量：１．５リットル）、Ｂ（収容量：９リットル）が備えているローター３の攪拌羽根の数は、いずれも４枚である。
【００５６】
実験条件と均質化指数の計算値は、表３の通りであった。
【表３】
2012023217.tif 000011
【００５７】
表３における均質化指数の計算値から、ミキサーの隙間が狭いほどに、また、ステーターの回転数が大きいほどに、微粒化効果（微粒化の性能）が高くなることが推定された。
【００５８】
ここで、表２のミキサーＡ−１、Ａ−２について、表３の運転条件における処理（混合）時間と、液滴径の関係（微粒化傾向）を図５に示した。
【００５９】
そして、表２のミキサーＡ−２におけるローターの回転速度を変更した場合での本発明で提案している均質化指数と、液滴径の関係（微粒化傾向）を図６に示した。
【００６０】
また、表２のミキサーＡ−１、Ａ−２におけるローターの回転速度を変更した場合での本発明で提案している均質化指数と、液滴径の関係（微粒化傾向）を図７に示した。
【００６１】
さらに、表２のミキサーＡ−２、Ｂにおけるローターの回転速度を変更した場合での本発明で提案している均質化指数と、液滴径の関係（微粒化傾向）を図８に示した。
【００６２】
そして、表２のミキサーＡ−１、Ａ−２、Ｂにおけるローターの回転速度を変更した場合での本発明で提案している均質化指数と、液滴径の関係（微粒化傾向）を図９に示した。
【００６３】
表３において、均質化指数：H.I.を計算し、図５〜図９の結果と比較したところ、それぞれの推定値（理論値）と測定値（実測値）とは同様な傾向を示し、あらゆる回転数において、ミキサーの隙間δが小さいほどに、微粒化効果（微粒化の性能）が高くなることが分かった。
【００６４】
なお、処理（混合）時間を横軸にして、実験結果を整理すると、液滴径の変化（液滴の微粒化傾向）を一括して表現（評価）できないことが分かった。
【００６５】
一方、本発明で提案している均質化指数：H.I.を横軸にして、実験結果を整理すると、液滴径の変化（液滴の微粒化傾向）を一括して表現（評価）できることが分かった。
【００６６】
具体的には、運転条件（回転数、混合時間）と、ミキサーの形状（隙間、開口数）が異なっても、液滴径は同じように減少する傾向を辿ることが分かった。
【００６７】
すなわち、本発明で提案している計算式で求められる均質化指数：H.I.は、ローター・ステータータイプのミキサーにおいて、運転条件や形状の違いを包括的に考慮して、その性能を評価できる指標であると言える。
【００６８】
また、ミキサーの規模（寸法）が異なっても、液滴径は均質化指数：H.I.に依存していることが分かった。そして、ミキサーの規模が異なっても、同様の微粒化傾向を示すことが分かった。
【００６９】
以上より、ローター・ステータータイプのミキサーでは、本発明で提案している均質化指数：H.I.の値（大きさ）を一致させることで、運転条件や形状の違いを包括的に考慮して、スケールアップできると言える。
【００７０】
本発明では、隙間依存や開口部依存のミキサーについて、その微粒化効果や乳化効果を包括的に考慮しながら、その性能評価やスケールアップできるようになった。つまり、本発明では、これまで限定的にしか使用できなかった性能評価方法とスケールアップ方法に基づいて、より広範囲のミキサーに適用できる理論を開発することができた。
【００７１】
（高性能ミキサーの形状と設計）
本発明の計算式に基づいて導き出される均質化指数：H.I.を指標としたミキサーの性能評価と、その検証結果を参考にして、高性能のミキサーの形状を定義した。そして、その定義に基づいて、高性能のミキサーを設計し、そのミキサーの概要を図１０〜図１２に示した。
【００７２】
（ムービングステーター（可動式の固定子））
ローター・ステータータイプのミキサーを使用し、粉体原料や液体原料を溶解（調合）して、乳化状製品を製造する場合、粉体原料と共に持ち込まれた気体（空気）を分離しないままで、ミキサーにより処理すると、調合液に微細な気泡が混入（発生）した状態となる。この微細な気泡が混入した調合液をそのまま乳化処理した場合、気泡が混入していない調合液を乳化処理した場合と比較して、微粒化や乳化の性能（効果）が劣ってしまうことが以前から知られている。
【００７３】
そこで、粉体原料を溶解する初期段階において、微細な気泡の発生を抑制するためには、ミキサーにムービング・ステーターの機構を持たせることが望ましい。特に、泡立ちしやすい乳化状製品を処理する場合、ムービング・ステーターの機構を持たせることが望ましい。粉体原料を溶解する初期段階では、ステーターをローターから離すことで、高いエネルギーを消散させることなく、粉体原料を調合液へ素早く分散させる。そして、その後にステーターをローターの近傍まで移動させ、本格的に溶解・微粒化・乳化する手順が良い。
【００７４】
（マルチ・ステージ・ホモゲナイザー（多段階式の乳化機構））
上述したように、本発明の計算式に基づいて導き出される均質化指数：H.I.の値が大きい程、微粒化や乳化の性能（効果）が優れていることを確認できている。
【００７５】
そこで、ローターとステーターとの間の隙間部に形成される混合部を複数個備えているミキサーにすることが望ましい。
【００７６】
例えば、一段目のローターとステーターとの間の隙間部で予備の微粒化を行い、次に、二段目のローターとステーターとの間の隙間部で本格的な微粒化を行うものである。
【００７７】
（ダイレクト・インジェクション（直接注入式の添加機構））
本発明の計算式に基づいて導き出される均質化指数：H.I.を指標としたミキサーの性能評価と、その検証結果により、本発明の計算式に基づいて導き出される均質化指数：H.I.の値が大きい程、微粒化や乳化の性能（効果）が優れていることを確認できている。
【００７８】
そこで、油脂、不溶成分、微量成分などを混合部分（ミキサー部）へ直接で投入（添加）することで、より効果的に乳化や分散される。特に一段目のステーター（径方向で内側のステーター）部分へ直接で投入（注入）すれば、一段目のステーターで予備乳化してから、さらに二段目のステーター（径方向で外側のステーター）で本格的に乳化・分散できる。
【００７９】
（高性能のステーターの形状）
本発明の計算式に基づいて導き出される均質化指数：H.I.の値が大きい程、微粒化や乳化の性能（効果）が優れていることを確認できている
ステーターに形成されている開口部（孔）の形状は、くし歯状ではなく、円形状が望ましい。
【００８０】
なお、ステーターの孔径が２ｍｍ以下になると、粉体原料などが閉塞するリスクがある。したがって、粉体原料の溶解と乳化処理を同時に達成しようとする場合、ステーターの孔径として２〜４ｍｍ程度が良い。
【００８１】
また、ステーターが備えている開口部は、ステーターの円周状の周壁に全体の開口面積比率として２０％以上で穿設されていることが望ましい。
【００８２】
ステーターの孔数（開口面積比）が多い程、剪断頻度が高くなる。一方、ステーターの開口部の強度の問題がある。従来では一般的には、開口面積比として１８〜３６％を採用している場合が多いが、開口面積比として３０％以上が望ましく、４０〜５０％がより望ましい。
【００８３】
更に、ローターは、回転中心から放射状に延びる複数枚の攪拌翼を供えていることが望ましい。攪拌翼は６枚以上、望ましくは８枚である。
【実施例１】
【００８４】
以下では、添付図面を参照して、本発明の好ましい実施形態について幾つかの実施例を説明するが、本発明は、これらの実施形態、実施例に限定されるものではなく、特許請求の範囲の記載から把握される技術的範囲において種々の形態に変更可能である。【００８５】
本発明が提案する計算式に基づいて導き出される均質化指数：H.I.を指標としたミキサーの性能評価と、その検証結果を参考にして定義した高性能のミキサーの形状および、その定義に基づいて設計した高性能のミキサーの概要を図１０〜図１２を用いて説明する。【００８６】
本発明の提案するローター・ステータータイプのミキサーは、複数個の開口部を備えているステーターと、ステーターの内側に所定の隙間を空けて配置されるローターとからなるミキサーユニット１４の部分に特徴を有するものであり、その他の構造は従来のローター・ステータータイプのミキサーと同一である。そこで、本発明のミキサーにおいてその特徴的構造、機構になっているミキサーユニット１４のみについてその一例を図示して説明する。【００８７】
本発明のローター・ステータータイプのミキサーにおけるミキサーユニット１４は、図１０、図１１に図示した構造のローター１３と、ステーター１２、２２とからで構成される。【００８８】
ステーター１２、２２は図１に例示した従来のミキサーユニット４におけるステーター２と同じく、円形状の複数個の開口部１１ａ、１１ｂをそれぞれ備えている。【００８９】
ステーター１２、２２は、ステーター２２の周径の方が、ステーター１２の周径より大きく、図１２（ａ）図示のように、ミキサーユニット１４に同心円状に配置される。【００９０】
ステーター１２、２２の内側に所定の隙間を空けて配置されるローター１３は、回転中心になる回転軸１７から放射状に延びる複数枚の攪拌翼を備えている。図示の実施形態では、８枚の攪拌翼１３ａ、１３ｂ、１３ｃ、１３ｄ、１３ｅ、１３ｆ、１３ｇ、１３ｈを備えている。【００９１】
各攪拌翼１３ａ〜１３ｈの径方向中心と、径方向外端１６との間の同一径の位置に縦溝１５がそれぞれ形成されている。【００９２】
図１２（ａ）、（ｂ）図示のようにミキサーユニット１４が形成されたときには、各攪拌翼１３ａ〜１３ｈに形成されている縦溝１５にステーター１２が装入される。そして、各攪拌翼１３ａ〜１３ｈの径方向外端１６の壁面１６ａと、ステーター２２の内周壁面２２ａとの間に隙間δ２が形成される。また、各攪拌翼１３ａ〜１３ｈの縦溝１５における外周面１５ａと、ステーター１２の内周壁面１２ａとの間及び、各攪拌翼１３ａ〜１３ｈの縦溝１５における内周面１５ｂと、ステーター１２の外周壁面１２ｂとの間に隙間が形成される。【００９３】
このように、本発明のローター・ステータータイプのミキサーのミキサーユニット１４においては、周径の異なる複数のステーター１２、２２の内側にそれぞれローターが所定の隙間を空けて配置される構造になる。【００９４】
ローター１３が回転軸１７を回転中心にして矢印２０で示すように回転すると、径方向内側の混合部分と、径方向外側の混合部分という二段階の混合部が形成されることになる。このような多段式（マルチステージ）での混合により高性能を実現することが可能になる。【００９５】
図示の実施形態では、径方向内側の混合部分は、各攪拌翼１３ａ〜１３ｈの縦溝１５における外周面１５ａと、ステーター１２の内周壁面１２ａとの間及び、各攪拌翼１３ａ〜１３ｈの縦溝１５における内周面１５ｂと、ステーター１２の外周壁面１２ｂとの間に形成される。また、径方向外側の混合部分は、各攪拌翼１３ａ〜１３ｈの径方向外端１６の壁面１６ａと、ステーター２２の内周壁面２２ａとの間に形成される。【００９６】
本発明のミキサーでは、ステーター１２、２２と、ローター１３とは、ローター１３の回転軸１７が延びている方向で相互に接近する、又、離れることができるようになっている。図示の実施形態では、ローター１３において回転軸１７が延びている方向で、図１２（ｂ）の矢印２２、２３で示すように移動可能になっている。【００９７】
そこで、本発明のミキサーでは、ローター１３が図１２（ｂ）の矢印２２方向に移動して、前述したように、各攪拌翼１３ａ〜１３ｈに形成されている縦溝１５にステーター１２が装入されてミキサーユニット１４が形成されている状態と、ローター１３が図１２（ｂ）に仮想線で示すようにステーター１２、２２から離れている状態とを採れるようになっている。【００９８】
ミキサーによって粉体原料を溶解する初期段階では、ローター１３を図１２（ｂ）の矢印２３で示すようにしてステーター１２、２２から離すことで、高いエネルギーを消散させることなく、粉体原料を調合液へ素早く分散させることができる。【００９９】
そして、その後にローター１３を図１２（ｂ）の矢印２２で示すように移動させて、上述した径方向内側と、径方向外側の混合部分という二段階の混合部を形成し、ローター１３を図１２（ｂ）の矢印２０方向に回転させて、本格的に溶解・微粒化・乳化する手順が良い。【０１００】
本発明のミキサーでは、図１２（ａ）のように、ミキサーユニット１４を構成するステーター１２、２２の上端に沿って、ノズル１８が径方向で中心側に向かって延びており、処理される流体は、ノズル１８を介してノズル開口１９から図１２（ｂ）の矢印２１で示すように混合部分（ミキサー部）へ直接で投入される。【０１０１】
すなわち、処理される流体は内側の混合部分である、各攪拌翼１３ａ〜１３ｈの縦溝１５における外周面１５ａと、ステーター１２の内周壁面１２ａとの間に、ノズル開口１９から矢印２１のように、直接で、投入され、そこで第一段目の混合（予備混合）が行われる。引き続いて、外側の混合部分である、各攪拌翼１３ａ〜１３ｈの径方向外端１６の壁面１６ａと、ステーター２２の内周壁面２２ａとの間で本格的な混合が行われるようになっている。【０１０２】
このように、処理すべき流体を混合部分（ミキサー部）へ直接で投入（添加）することによって、より効果的に乳化や分散を行うことが可能になる。
【実施例２】
【０１０３】
明治乳業（株）の栄養調製食品（メイバランス  １．０  ＨＰ（商標））を用いて、微粒化試験を行った。【０１０４】
このメイバランス  １．０  ＨＰ（商標）の組成や物性は表４の通りである。
【表４】
2012023217.tif 000012
【０１０５】
この実施例では、２種類のミキサー（収容量：９キロリットルと、４００リットル）を用いて、ローターの回転速度、積算時間を変化させて実験を行った。これらのミキサーは、発明の実施の形態の欄で実証を行ったミキサーＡと同じメーカー品である。【０１０６】
実験条件と均質化指数：H.I.の計算値などを表５に示した。
【表５】
2012023217.tif 000013
【０１０７】
均質化指数：H.I.と、液滴径の関係（微粒化傾向）を図１３に示した。【０１０８】
本発明で提案している均質化指数Ｈ．Ｉ．[m2/s3]を横軸にして実験結果を整理すると、液滴径の変化（液滴の微粒化傾向）を一括して表現（評価）できることが分かった。
【産業上の利用可能性】
【０１０９】
本発明は、以下に述べる優れた効果・機能を発揮できることから、乳化、分散、微粒子化工程が行われる種々の産業分野、例えば、食品、医薬品、化学品などの製造分野で利用することが可能である。【０１１０】
（１）市場に存在する既存のローター・ステータータイプのミキサーに対して、実際の処理液を使用せず、水を使用して運転（水運転）するだけで、それらミキサーの性能を評価できる。水運転という簡便な検討により、各ユーザーの用途に合った最適なローター・ステータータイプのミキサーを選定できる。これによって、ミキサーの選定のための検討のコストを削減でき、その検討の期間を短縮できる。【０１１１】
（２）均質化指数：H.I.の隙間における形状依存項を最大化するように、幾何学的な寸法を採用することで、新規のローター・ステータータイプのミキサーでは、その性能を向上して（高めて）設計・製造でき、既存のミキサーでは、その性能を改善できる。【０１１２】
（３）小型から大型まで多種多様なローター・ステータータイプのミキサーに対して、その処理（製造）時間を考慮した上で、スケールアップやスケールダウンできる。【０１１３】
（４）各ユーザーの目的に合った微粒化効果（液滴径）を得るために、その必要な処理（撹拌）時間を推定でき、その必要な最低時間で運転（処理）すれば良いこととなる。ローター・ステータータイプのキミサーの運転時間を短縮でき、省エネルギーを達成できる。【０１１４】
（５）従来の典型的な高性能（高剪断式）のローター・ステータータイプのミキサーよりも、微粒化効果や乳化効果が高く、高品質な製品を製造できるローター・ステータータイプのミキサーを提供することができる。【０１１５】
（６）本発明によるローター・ステータータイプのミキサーは、微粒化効果や乳化効果が高く、従来の同等以上の品質の製品を従来よりも短時間で製造できる。【０１１６】
（７）小型から大型まで多種多様なローター・ステータータイプのミキサーに対して、その処理（製造）時間を考慮した上で、スケールアップやスケールダウンできる。
【符号の説明】
【０１１７】
１  開口部（ホール）
２  ステーター
３  ローター
４  ミキサーユニット
１１ａ、１１ｂ  開口部
１２、２２  ステーター
１３  ローター
１３ａ、１３ｂ、１３ｃ、１３ｄ、１３ｅ、１３ｆ、１３ｇ、１３ｈ  攪拌翼
１４  ミキサーユニット
１５  縦溝
１７  回転軸
１８  ノズル
１９  ノズル開口
【図１】
2012023217.tif 000019
【図２】
2012023217.tif 000020
【図３】
2012023217.tif 000021
【図４】
2012023217.tif 000022
【図５】
2012023217.tif 000023
【図６】
2012023217.tif 000024
【図７】
2012023217.tif 000025
【図８】
2012023217.tif 000026
【図９】
2012023217.tif 000027
【図１０】
2012023217.tif 000028
【図１１】
2012023217.tif 000029
【図１２】
2012023217.tif 000030
【図１３】
2012023217.tif 000031
【国際調査報告】
2012023217.tif 000032
2012023217.tif 000033
2012023217.tif 000034
2012023217.tif 000035